(57)【要約】【課題】ポールイレーズの検査を高確度で行うこと。【解決手段】記録媒体における複数のトラックを含む所定の書き込み領域に対して、同一極性の情報である第一の情報を書き込み、第一の情報を書き込む領域内に位置する標的トラックに対して、第二の情報を書き込む。そして、標的トラックにおいて第二の情報が書き込まれない領域に対して、書き終りが第一の情報の極性とは逆の極性の情報である第三の情報を書き込む。そして、第三の情報が書き込まれた前後で読み出した第二の情報を比較して、ポールイレーズの発生を判定する。【選択図】        図１
2010277624.tif 000002
【特許請求の範囲】
【請求項１】
記録媒体における複数のトラックを含む所定の領域に対して、同一極性である第一の情報を書き込む第一書き込み処理と、前記所定の領域内もしくは近傍に位置する標的トラックに対して、第二の情報を書き込む第二書き込み処理と、前記標的トラックにおいて前記第二書き込み処理が実行されない領域に対して、書き終りが前記第一書き込み処理の極性とは逆の極性となる第三の情報を書き込む第三書き込み処理とを実行するように制御する書き込み制御部と、
前記第二書き込み処理後および前記第三書き込み処理後それぞれにおいて前記第二の情報を読み出すように制御する読み出し制御部と、
前記読み出し制御部の制御によって読み出された第二の情報それぞれに基づいて、ポールイレーズの発生を判定する判定部と、
を有したことを特徴とする磁気記録装置。
【請求項２】
前記書き込み制御部は、前記標的トラックに対して、複数の第二の情報および複数の第三の情報を書き込むように制御し、
前記読み出し制御部は、前記第二書き込み処理後および前記第三の書き込み処理後それぞれで、前記複数の第二の情報を前記記録媒体の回転に合わせて続けて読み出すように制御し、
前記判定部は、前記読み出し制御部の制御によって続けて読み出された複数の第二の情報それぞれの第二書き込み処理後および第三書き込み処理後の読み出し結果に基づいて、ポールイレーズの発生を判定することを特徴とする請求項１に記載の磁気記録装置。
【請求項３】
前記書き込み制御部は、前記第三の情報として、書き始めから書き終わりまでが前記第一の情報の極性とは逆の同一極性の情報を書き込むように制御することを特徴とする請求項１または２に記載の磁気記録装置。
【請求項４】
前記書き込み制御部は、前記第二の情報として、極性が周期的に変化する情報を書き込むように制御し、
前記判定部は、前記読み出し制御部の制御によって読み出された当該第二の情報の読み出し信号の振幅に基づいて、ポールイレーズの発生を判定することを特徴とする請求項１または２に記載の磁気記録装置。
【請求項５】
前記書き込み制御部は、前記第二の情報として、極性が非周期的に変化する情報を書き込むように制御し、
前記判定部は、前記読み出し制御部の制御によって読み出された当該第二の情報の誤り率に基づいて、ポールイレーズの発生を判定することを特徴とする請求項４に記載の磁気記録装置。
【請求項６】
記録媒体における複数のトラックを含む所定の領域に対して、同一極性である第一の情報を書き込む第一書き込み処理と、前記所定の領域の近傍に位置する標的トラックに対して、第二の情報を書き込む第二書き込み処理と、前記標的トラックにおいて前記第二書き込み処理が実行されない領域に対して、書き終りが前記第一書き込み処理の極性とは逆の極性となる第三の情報を書き込む第三書き込み処理とを実行するように制御する書き込み制御部と、
前記第二書き込み処理後および前記第三書き込み処理後それぞれにおいて前記第二の情報を読み出すように制御する読み出し制御部と、
前記読み出し制御部の制御によって読み出された第二の情報それぞれに基づいて、ポールイレーズの発生を判定する判定部と、
を有したことを特徴とするヘッド評価装置。
【請求項７】
記録媒体における複数のトラックを含む所定の領域に対して、同一極性である第一の情報を書き込む第一書き込み処理と、前記所定の領域の近傍に位置する標的トラックに対して、第二の情報を書き込む第二書き込み処理と、前記標的トラックにおいて前記第二書き込み処理が実行されない領域に対して、書き終りが前記第一書き込み処理の極性とは逆の極性となる第三の情報を書き込む第三書き込み処理とを実行するように制御する書き込み制御部と、
前記第二書き込み処理後および前記第三書き込み処理後それぞれにおいて前記第二の情報を読み出すように制御する読み出し制御部と、
前記読み出し制御部の制御によって読み出された第二の情報それぞれに基づいて、ポールイレーズの発生を判定する判定部と、
を有したことを特徴とするスピンスタンド装置。
【請求項８】
記録媒体における複数のトラックを含む所定の領域に対して、同一極性である第一の情報を書き込む第一書き込みステップと、
前記所定の領域の近傍に位置する標的トラックに対して、第二の情報を書き込む第二書き込みステップと、
前記標的トラックにおいて前記第二書き込みステップが実行されない領域に対して、書き終りが前記第一書き込みステップの極性とは逆の極性となる第三の情報を書き込む第三書き込みステップと、
前記第二書き込みステップ後に前記第二の情報を読み出す第一読み出しステップと、
前記第三書き込みステップ後に前記第二の情報を読み出す第二読み出しステップと、
前記第一読み出しステップおよび前記第二読み出しステップによって読み出された第二の情報それぞれに基づいて、ポールイレーズの発生を判定する判定ステップと、
を含んだことを特徴とするライトポールイレーズ評価方法。
【発明の詳細な説明】
【技術分野】
【０００１】
この発明は、磁気記録装置、ヘッド評価装置、スピンスタンド装置およびライトポールイレーズ評価方法に関する。
【背景技術】
【０００２】
従来より、磁気記録装置の高記録密度化を実現するための記録方式として、垂直磁気記録方式が知られている。垂直磁気記録方式は、ヘッドに対向する記録媒体の磁性層を垂直に磁化することで、情報を記録する。
【０００３】
具体的には、垂直磁気記録方式により情報を記録する磁気記録装置は、記録を行う主磁極と磁力線を回収する補助磁極とを記録ヘッドに有する。主磁極は、磁性層に対して垂直に磁力線を発することで磁性層を磁化して情報を記録し、補助磁極は、磁性層を磁化した磁力線を回収する。
【０００４】
ここで、垂直磁気記録方式には、ライトポールイレーズ現象（以下、ポールイレーズと記す）が発生する問題がある。ポールイレーズは、磁力線を発生させる記録電流を停止した時点で最後の磁力線が流れた方向の磁気が記録ヘッドに残り、残った磁気（残留磁気）によって記録媒体の記録情報が消去される現象のことである。
【０００５】
そして、ポールイレーズは、磁気記録装置ごとに発生頻度が異なることから、磁気記録装置ごとにポールイレーズが発生しやすいか否かを検査するための検査装置や検査方法の開発が求められている。
【０００６】
そこで近年、記録媒体のトラックに下書き情報を書き込み、書き込んだ下書き情報の一部を上書きして、上書きを行った位置の直後の下書き情報の信号振幅に基づいてポールイレーズを検出する検査装置が知られている（例えば、特許文献１参照）。具体的には、上記した検査装置は、下書き情報の信号を、上書きを実行する前後で読み出し、上書き前の信号振幅に対して、上書き後の信号振幅が閾値以下に低下した場合、ポールイレーズが発生したとして検出する。
【先行技術文献】
【特許文献】
【０００７】
【特許文献１】特開２００３−２６３７０２号公報
【発明の概要】
【発明が解決しようとする課題】
【０００８】
ところで、上記した従来技術では、ポールイレーズの検査を高確度かつ高速で行うことができないという課題があった。すなわち、上記した従来技術では、書き込みテストによって偶発的に発生するポールイレーズを期待しているに過ぎず、ポールイレーズの検査を高確度で行うことができない。
【０００９】
そこで、この発明は、上述した従来技術の課題を解決するためになされたものであり、ポールイレーズの検査を高確度で行うことが可能となる磁気記録装置、ヘッド評価装置、スピンスタンド装置およびライトポールイレーズ評価方法を提供することを目的とする。
【課題を解決するための手段】
【００１０】
上述した課題を解決し、目的を達成するため、この装置は、書き込み制御部が、記録媒体における複数のトラックを含む所定の領域に対して、同一極性である第一の情報を書き込む第一書き込み処理を実行するように制御する。また、書き込み制御部が、前記所定の領域内もしくは近傍に位置する標的トラックに対して、第二の情報を書き込む第二書き込み処理を実行するように制御する。さらに、書き込み制御部が、前記標的トラックにおいて前記第二書き込み処理が実行されない領域に対して、書き終りが前記第一書き込み処理の極性とは逆の極性となる第三の情報を書き込む第三書き込み処理を実行するように制御する。そして、読み出し制御部が、前記第二書き込み処理後および前記第三書き込み処理後それぞれにおいて前記第二の情報を読み出すように制御し、判定部が、前記読み出し制御部の制御によって読み出された第二の情報それぞれに基づいて、ポールイレーズの発生を判定する。
【発明の効果】
【００１１】
開示の装置は、ポールイレーズの検査を高確度で行うことが可能となる。
【図面の簡単な説明】
【００１２】
【図１】図１は、実施例１における磁気記録装置の構成を説明するためのブロック図である。
【図２】図２は、実施例２における磁気記録装置の構成を説明するためのブロック図である。
【図３】図３は、パターンＡの書き込み処理を説明するための図である。
【図４】図４は、パターンＢの書き込み処理を説明するための図である。
【図５】図５は、パターンＣの書き込み処理を説明するための図である。
【図６】図６は、判定部を説明するための図である。
【図７】図７は、実験結果を説明するための図である。
【図８】図８は、実施例２における磁気記録装置によるポールイレーズ検出処理の手順を説明するための図である。
【図９】図９は、信号振幅によるポールイレーズ検出処理の手順を説明するための図である。
【図１０】図１０は、誤り率によるポールイレーズ検出処理の手順を説明するための図である。
【図１１】図１１は、実施例３におけるスピンスタンド装置の構成を説明するためのブロック図である。
【発明を実施するための形態】
【００１３】
以下に添付図面を参照して、本願の開示する磁気記録装置、ヘッド評価装置、スピンスタンド装置およびライトポールイレーズ評価方法の実施例を詳細に説明する。なお、以下では、本願の開示する磁気記録装置、スピンスタンド評価装置を実施例として説明する。
【実施例１】
【００１４】
［実施例１における磁気記録装置の構成］
まず最初に、図１を用いて、実施例１における磁気記録装置の構成を説明する。図１は、実施例１における磁気記録装置の構成を説明するためのブロック図である。
【００１５】
図１に示すように、実施例１における磁気記録装置１０は、制御部２０と、ヘッド３０と、記録媒体４０とを有する。
【００１６】
ヘッド３０は、磁気記録装置１０に内蔵される磁気ヘッドである。
【００１７】
記録媒体４０は、磁気記録装置１０に内蔵される磁気ディスクである。
【００１８】
制御部２０は、ヘッド３０が実行する各種処理を制御し、特に本実施例に密接に関係するものとしては、書き込み制御部２１と、読み出し制御部２２と、判定部２３とを有する。
【００１９】
書き込み制御部２１は、記録媒体４０の複数のトラックを含む所定の領域に対して、同一極性である第一の情報を書き込むようにヘッド３０を制御する。また、書き込み制御部２１は、所定の領域内もしくは近傍に位置する標的トラックに第二の情報を書き込むようにヘッド３０を制御する。
【００２０】
さらに、書き込み制御部２１は、標的トラックにおいて第二の情報が書き込まれない領域に対して、書き終わりが第一の情報の極性とは逆の極性となる第三の情報を書き込むようにヘッド３０を制御する。
【００２１】
読み出し制御部２２は、書き込み制御部２１の制御によって第二の情報が書き込まれた後に、第二の情報を読み出すようにヘッド３０を制御する。
【００２２】
また、読み出し制御部２２は、書き込み制御部２１の制御によって第三の情報が書き込まれた後に、第二の情報を読み出すようにヘッド３０を制御する。
【００２３】
判定部２３は、読み出し制御部２２の制御によって、第二の情報が書き込まれた後に読み出された第二の情報と、第三の情報が書き込まれた後に読み出された第二の情報を用いて、ポールイレーズの発生を判定する。
【００２４】
［実施例１の効果］
上記したように、実施例１によれば、書き込み制御部２１は、記録媒体４０の複数のトラックを含む所定の領域に対して、同一極性である第一の情報を書き込む第一書き込み処理を実行するようにヘッド３０を制御する。また、書き込み制御部２１は、所定の領域内もしくは近傍に位置する標的トラックに第二の情報を書き込む第二書き込み処理を実行するようにヘッド３０を制御する。さらに、書き込み制御部２１は、標的トラックにおいて第二書き込み処理が実行されない領域に対して、書き終わりが第一書き込み処理の極性とは逆の極性となる第三の情報を書き込む第三書き込み処理を実行するようにヘッド３０を制御する。そして、読み出し制御部２２が、第二書き込み処理後および第三書き込み処理後それぞれにおいて第二の情報を読み出すように制御し、判定部２３が、読み出し制御部２２の制御によって読み出された第二の情報それぞれに基づいて、ポールイレーズの発生を判定する。従って、第一の情報の極性に対して逆の極性を書き終わりに有する第三の情報を書き込むことによってポールイレーズを加速することができ、ポールイレーズの検査を高確度で行うことが可能となる。また、ポールイレーズの偶発的な発生を期待するのではなく、ポールイレーズを誘発させることができ、ポールイレーズの検査を高速で行うことが可能となる。
【実施例２】
【００２５】
実施例２では、上述した実施例１における制御部２０が実行する処理内容の具体的な一例について説明する。
【００２６】
［実施例２における磁気記録装置の構成］
まず最初に、図２〜７を用いて、実施例２における磁気記録装置の構成を説明する。図２は、実施例２における磁気記録装置の構成を説明するための図であり、図３は、パターンＡの書き込み処理を説明するための図であり、図４は、パターンＢの書き込み処理を説明するための図である。また、図５は、パターンＣの書き込み処理を説明するための図であり、図６は、判定部を説明するための図であり、図７は、実験結果を説明するための図である。
【００２７】
図２に示すように、実施例２における磁気記録装置１０は、制御部２０と、ヘッド３０と、記録媒体４０と、記憶部５０と、入出力制御Ｉ／Ｆ部６０とを有し、ホストコンピュータ７０と接続される。
【００２８】
ホストコンピュータ７０は、例えば、ＰＣ（Ｐｅｒｓｏｎａｌ  Ｃｏｍｐｕｔｅｒ）などの計算機装置であり、ポールイレーズ検出コマンドとともに、記録媒体４０に書き込む情報を、磁気記録装置１０に送信する。なお、磁気記録装置１０は、ホストコンピュータ７０の外部に接続されている場合であっても、ホストコンピュータ７０に内蔵されている場合であってもよい。
【００２９】
入出力制御Ｉ／Ｆ部６０は、ホストコンピュータ７０と磁気記録装置１０との間で送受信されるデータを中継するインターフェースである。
【００３０】
ヘッド３０は、磁気記録装置１０に内蔵される磁気ヘッドであり、記録ヘッド３１と再生ヘッド３２を有する。
【００３１】
記録ヘッド３１は、後述する制御部２０によって制御される書き込み処理を実行する。なお、記録ヘッド３１は、図示していないが、記録を行う主磁極と主磁極が発した磁力線を回収する補助磁極とを有する。
【００３２】
再生ヘッド３２は、後述する制御部２０によって制御される読み出し処理を実行する。
【００３３】
記録媒体４０は、磁気記録装置１０に内蔵される磁気ディスクである。
【００３４】
記憶部５０は、後述する制御部２０の制御によって実行された処理結果を記憶し、本実施例に密接に関係するものとして、読み出し情報記憶部５１を有する。
【００３５】
読み出し情報記憶部５１は、後述する制御部２０の制御によって実行された読み出し情報を記憶する。なお、読み出し情報については、後に詳述する。
【００３６】
制御部２０は、入出力制御Ｉ／Ｆ部６０を介してホストコンピュータ７０から受信したポールイレーズ検出コマンドを実行し、本実施例に密接に関係するものとして、書き込み制御部２１と、読み出し制御部２２と、判定部２３と、サーボ制御部２４とを有する。
【００３７】
サーボ制御部２４は、記録媒体４０によって記録されているサーボ情報に基づいて、ヘッド３０がオントラックするように制御する。ここで、サーボ制御部２４は、記録媒体４０の各トラック上にあるサーボ領域でサーボゲートをオンにして、ヘッド３０からサーボ情報を取得するように制御する。
【００３８】
書き込み制御部２１は、記録媒体４０における複数のトラックを含む所定の領域に対して、同一極性である第一の情報をパターンＡとして書き込むように記録ヘッド３１を制御する。具体的には、書き込み制御部２１は、図３の（Ａ）に示すように、記録媒体４０に予め設定されたパターンＡ書き込み領域のすべてのトラックに対して、記録ヘッド３１の主磁極および補助磁極にパターンＡの書き込みを行わせる。
【００３９】
例えば、書き込み制御部２１は、図３の（Ｂ）に示すように、パターンＡ書き込み領域のトラック１〜トラックｎまでを＋極性のＤＣイレーズで書き込みを行うように記録ヘッド３１を制御する。ここで、書き込み制御部２１は、図３の（Ｃ）に示すように、パターンＡ書き込み領域のすべてのトラックにおいて、トラックのサーボ情報が記憶されているサーボ領域以外の領域のすべてのセクタにパターンＡを書き込むように記録ヘッド３１を制御する。
【００４０】
なお、パターンＡ書き込み領域は、任意に設定可能であり、例えば、図３の（Ｂ）に示すように、記録ヘッド３１が有する補助磁極の幅に相当するトラック分の領域として設定される。
【００４１】
そして、書き込み制御部２１は、パターンＡ書き込み領域内もしくは近傍に位置する標的トラックに対して、第二の情報を書き込むように記録ヘッド３１を制御する。具体的には、書き込み制御部２１は、第二の情報として、ポールイレーズを検査するための評価用パターンであるパターンＢを、標的トラックに対して、記録ヘッド３１の主磁極および補助磁極に書き込みを行わせる。
【００４２】
例えば、書き込み制御部２１は、図４の（Ａ）に示すパターンＡ書き込み領域内の標的トラックに対して、パターンＢを書き込むように記録ヘッド３１を制御する。すなわち、書き込み制御部２１は、図４の（Ｂ）に示すように、標的トラックのパターンＡが書き込まれていたセクタに対してパターンＢを書き込むように記録ヘッド３１を制御する。
【００４３】
ここで、書き込み制御部２１は、図４の（Ｂ）に示すように、標的トラック上でサーボゲートがオンになっていない領域のセクタに対して、書き込みを行うライトゲートをオンにすることで、記録ヘッド３１にパターンＢの書き込みを行わせる。
【００４４】
上述したパターンＢは、極性が周期的に変化する情報または極性が非周期的に変化する情報である。例えば、書き込み制御部２１は、図４の（Ｃ）に示すように、極性が周期的に変化するパターンＢとして、＋極性と−極性とが交互に変化する情報を書き込むように記録ヘッド３１を制御する。
【００４５】
なお、パターンＢの書き込み場所は、標的トラック上のサーボ領域以外のセクタで任意に設定することができ、例えば、標的トラック上に１２８箇所設けてもよい。
【００４６】
そして、書き込み制御部２１は、標的トラック上でパターンＢの書き込みが実行されない領域に対して、書き終りがパターンＡの極性とは逆の極性となるパターンＣを第三の情報として書き込むように制御する。具体的には、書き込み制御部２１は、図５の（Ａ）に示すように、標的トラック上でパターンＢの書き込みが行われなかったセクタに対して、パターンＣを書き込むように制御する。
【００４７】
例えば、書き込み制御部２１は、パターンＡの極性が＋極性であった場合、少なくとも書き終りが−極性となるパターンＣを書き込むように記録ヘッド３１を制御する。
【００４８】
また、書き込み制御部２１は、第三の情報として、書き始めから書き終りまでが第一の情報の極性とは逆の同一極性の情報を書き込むように制御する。例えば、パターンＡの極性が＋極性であった場合、書き込み制御部２１は、図５の（Ｂ）に示すように、書き始めから書き終わりまでが−極性であるパターンＣを書き込むように制御する。
【００４９】
ここで、書き込み制御部２１は、サーボ領域からパターンＢを書き込む領域まで延長されるサーボゲートに同期して、パターンＣを書き込むように制御する。具体的には、書き込み制御部２１は、サーボ制御部２４によって制御されたサーボゲートがオフになった際に、パターンＣを標的トラックに書き込むように制御する。
【００５０】
例えば、書き込み制御部２１は、図５の（Ａ）に示すように、サーボゲートがサーボ領域でオンになり、パターンＢの領域まで延長されオフになった後に、ライトゲートをオンにして、標的トラック上のパターンＢ以外のセクタにパターンＣを書き込むように制御する。
【００５１】
図２に戻って、読み出し制御部２２は、パターンＢが書き込まれた後、書き込まれたパターンＢを読み出すように、再生ヘッド３２を制御する。
【００５２】
そして、読み出し制御部２２は、パターンＢが書き込まれた後に再生ヘッド３２によって読み出された読み出し情報（初期結果）を読み出し情報記憶部５１に格納する。
【００５３】
そして、読み出し制御部２２は、パターンＣが書き込まれた後に、パターンＢを読み出すように、再生ヘッド３２を制御する。
【００５４】
そして、読み出し制御部２２は、パターンＣが書き込まれた後に再生ヘッド３２によって読み出された読み出し情報（上書き後結果）を読み出し情報記憶部５１に格納する。
【００５５】
判定部２３は、読み出し制御部２２によって読み出し情報記憶部５１に格納された初期結果および上書き後結果を比較し、比較結果が閾値以上である場合、ポールイレーズが発生したと判定する。
【００５６】
以下、パターンＢの極性が、周期的な情報である場合および非周期的な情報である場合それぞれについて説明する。
【００５７】
まず、書き込み制御部２１の制御によって書き込まれたパターンＢの極性が周期的に変化する情報である場合、判定部２３は、読み出し情報記憶部５１によって記憶された初期結果および上書き後結果の信号振幅と閾値とに基づいて、ポールイレーズの発生を判定する。
【００５８】
具体的には、判定部２３は、図６の（Ａ）に示すように、初期結果および上書き後結果それぞれの信号において、矢印で示した正のピーク電圧値の平均値と矢頭で示した負のピーク電圧値の平均値との差を信号振幅として算出する。そして、判定部２３は、算出した上書き後結果の信号振幅が初期結果の信号振幅に対して、閾値以上低下をした場合、ポールイレーズが発生したと判定する。例えば、判定部２３は、上書き後結果の信号振幅が初期結果の信号振幅と比較して、１０％以上低下した場合、ポールイレーズが発生したと判定する。
【００５９】
また、書き込み制御部２１の制御によって書き込まれたパターンＢの極性が非周期的に変化する情報である場合、判定部２３は、読み出し情報記憶部５１によって記憶された初期結果および上書き後結果の誤り率と閾値とに基づいて、ポールイレーズの発生を判定する。
【００６０】
例えば、判定部２３は、図６の（Ｂ）に示すように、パターンＢを書き込む際に、予め付加されたパリティビットに基づいて、初期結果および上書き後結果それぞれの誤り率を算出する。そして、判定部２３は、算出した上書き後結果の誤り率が初期結果の誤り率に対して、閾値以上増加した場合、ポールイレーズが発生したと判定する。例えば、判定部２３は、上書き後結果の誤り率が初期結果の誤り率と比較して、１０％以上増加した場合、ポールイレーズが発生したと判定する。
【００６１】
なお、上記では、パリティビットを用いて誤り率を算出する場合について説明したが、本実施例は、これに限定されるものではなく、例えば、ビタビ符号やＥＣＣ（Ｅｒｒｏｒ  Ｃｏｒｒｅｃｔｉｎｇ  Ｃｏｄｅ）を用いる場合であってもよい。
【００６２】
上述したパターンＡ、ＢおよびＣを用いて行ったポールイレーズ検出の実験結果を以下に説明する。
【００６３】
図７に示す実験では、補助磁極の幅とほぼ等しい２０μｍ幅のパターンＡ書き込み領域内に標的トラックを設け、１トラックに１２８箇所のサーボ領域を設けた。そして、サーボ領域直後にパターンＢの記録領域を配し、続けてパターンＣの記録領域を配した記録媒体４０に対して、ポールイレーズ検出を実施した。なお、各グラフの縦軸は、信号振幅（μＶ）を示し、横軸は、１２８箇所のパターンＢの番号を示す。
【００６４】
図７の（Ａ）は、パターンＡを極性がランダムであるＡＣイレーズで書き込み、パターンＢとして極性が周期的に変化する情報を書き込み、パターンＣの書き終りの極性を限定しない場合の実験結果を示している。そして、本実験では、初期結果の信号振幅と１２８箇所のパターンＣに対して１００回の書き込みを行った後の上書き後結果の信号振幅とを比較し、比較結果からポールイレーズ検出を行った。すなわち、上書き後結果は、パターンＣを１２８×１００＝１２８００回記録した後のパターンＢを示している。
【００６５】
図７の（Ａ）に示すように、初期結果と比較して、上書き後結果の信号振幅が３箇所で低下しており、ポールイレーズが３箇所のみ発生したことを示している。
【００６６】
図７の（Ｂ）は、パターンＡを＋極性のＤＣイレーズで書き込み、パターンＢとして極性が周期的に変化する情報を書き込み、パターンＣの書き終りをパターンＡの逆極性である−極性で書き込んだ場合の実験結果を示している。そして、本実験では、初期結果の信号振幅と１２８箇所のパターンＣに対して１００回の書き込みを行った後の上書き後結果の信号振幅とを示している。すなわち、図７の（Ａ）と同様に、上書き後結果は、１２８００回記録した後のパターンＢを示している。
【００６７】
図７の（Ｂ）に示すように、初期結果と比較して、上書き後結果の信号振幅がほとんどすべてのパターンＢで低下しており、図７の（Ａ）と比較して、より高頻度でポールイレーズが発生していることを示している。
【００６８】
図７の（Ｃ）は、パターンＡを＋極性のＤＣイレーズで書き込み、パターンＢとして極性が周期的に変化する情報を書き込み、パターンＣの書き終りをパターンＡと同一の＋極性で書き込んだ場合の実験結果を示している。そして、本実験では、初期結果の信号振幅と１２８箇所のパターンＣに対して１００回の書き込みを行った後の上書き後結果の信号振幅とを示している。すなわち、図７の（Ａ）と同様に、上書き後結果は、１２８００回記録した後のパターンＢを示している。
【００６９】
図７の（Ｃ）に示すように、初期結果と比較して、上書き後結果の信号振幅はまったく低下しておらず、ポールイレーズが発生していないことを示している。
【００７０】
上記の結果から、パターンＡを同一極性で書き込み、書き終わりがパターンＡの極性とは逆の極性であるパターンＣを書き込むことにより、ポールイレーズが加速されることが示されている。
【００７１】
なお、上記した本実施例では、パターンＡを＋極性のＤＣイレーズで書き込み、パターンＣの書き終りを−極性で書き込む場合について説明したが、本実施例はこれに限定されるものではなく、パターンＡを−極性のＤＣイレーズで書き込み、パターンＣの書き終りを＋極性で書き込む場合であってもよい。
【００７２】
［実施例２における磁気記録装置による処理の手順］
次に、図８を用いて、実施例２における磁気記録装置による処理を説明する。図８は、実施例２における磁気記録装置によるポールイレーズ検出処理の手順を説明するための図である。
【００７３】
［実施例２における磁気記録装置によるポールイレーズ検出処理の手順］
図８に示すように、まず、実施例２における磁気記録装置１０は、ホストコンピュータ７０にて検査コマンドが実行されると（ステップＳ１０１肯定）、書き込み制御部２１は、ヘッド３０を標的トラック近傍にシークさせる（ステップＳ１０２）。そして、記録ヘッド３１は、書き込み制御部２１の制御によって、パターンＡ書き込み領域におけるサーボ領域以外の領域に対して、同一極性の情報であるパターンＡを書き込む（ステップＳ１０３）。
【００７４】
続いて、書き込み制御部２１は、ヘッド３０を、標的トラックにシークさせ（ステップＳ１０４）、記録ヘッド３１は、書き込み制御部２１の制御によって、標的トラックのサーボ領域以外の領域に対して、パターンＢを書き込む（ステップＳ１０５）。例えば、記録ヘッド３１は、標的トラックの１２８箇所にパターンＢを書き込む。
【００７５】
そして、再生ヘッド３２は、書き込み制御部２１の制御によって書き込まれたパターンＢを、読み出し制御部２２の制御により読み出し、読み出し制御部２２は、再生ヘッド３２によって読み出された初期結果を読み出し情報記憶部５１に格納する（ステップＳ１０６）。例えば、再生ヘッド３２は、標的トラックに書き込まれた１２８箇所のパターンＢをそれぞれ読み出し、読み出し制御部２２は、読み出された１２８箇所の初期結果それぞれを読み出し情報記憶部５１に格納する。
【００７６】
続いて、記録ヘッド３１は、書き込み制御部２１の制御によって、標的トラックのパターンＢが書き込まれていない領域に対して、書き終りがパターンＡの極性とは逆の極性となるパターンＣを書き込む（ステップＳ１０７）。
【００７７】
そして、書き込み制御部２１は、パターンＣが指定回数記録したか否かの判定を行う（ステップＳ１０８）。具体的には、書き込み処理部２１は、記録ヘッド３１によってパターンＢと同一数のパターンＣが書き込まれたか否かの判定を行う。
【００７８】
ここで、指定回数記録していない場合（ステップＳ１０８否定）、書き込み処理部２１は、ステップＳ１０７に戻って、パターンＣの書き込みを記録ヘッド３１に実行させる。
【００７９】
一方、指定回数記録した場合（ステップＳ１０８肯定）、読み出し制御部２２は、再生ヘッド３２にパターンＢの読み出しを実行させ、上書き後結果を読み出し情報記憶部５１に格納する（ステップＳ１０９）。例えば、読み出し制御部２２は、１２８箇所のパターンＢを再生ヘッド３２に読み出させ、読み出した１２８箇所それぞれの上書き後結果を読み出し情報記憶部５１に格納する。
【００８０】
そして、判定部２３は、読み出し情報記憶部５１によって記憶された初期結果と上書き後結果とを比較し（ステップＳ１１０）、比較結果が閾値以上か否かの判定を行う（ステップＳ１１１）。具体的には、判定部２３は、１２８箇所の初期結果と１２８箇所の上書き後結果とを同一箇所から読み出した結果の間で比較する。
【００８１】
ここで、比較結果が閾値以上であった場合（ステップＳ１１１肯定）、判定部２３は、ポールイレーズが発生したと判定し（ステップＳ１１２）、処理を終了する。
【００８２】
一方、比較結果が閾値以上ではなかった場合（ステップＳ１１１否定）、判定部２３は、ポールイレーズ無しと判定し（ステップＳ１１３）、処理を終了する。
【００８３】
［信号振幅によるポールイレーズ検出処理の手順］
図８に示す処理の手順では、パターンＡの後に書き込まれるパターンＢの極性変化が限定されていないが、以下、周期的に極性が変化するパターンＢを書き込んだ場合のポールイレーズ検出処理の手順について、図９を用いて説明する。なお、図９は、信号振幅によるポールイレーズ検出処理の手順を説明するための図である。
【００８４】
図９に示す信号振幅によるポールイレーズ検出処理の手順は、図８の処理の手順と比較して、ステップＳ２１０およびステップＳ２１１の処理が異なる。
【００８５】
すなわち、ステップＳ２０５のパターンＢの書き込みにおいて、書き込まれたパターンＢの極性が周期的に変化する情報である場合、判定部２３は、ステップＳ２１０において、初期結果の信号振幅と上書き後結果の信号振幅とを算出し、算出結果を比較する。そして、判定部２３は、ステップＳ２１１において、振幅低下が閾値以上であるか否かの判定を行う。ここで、上書き後結果の信号振幅の低下が、初期結果と比較して、閾値以上であった場合、判定部２３は、ポールイレーズが発生したと判定し（ステップＳ２１２）、処理を終了する。
【００８６】
一方、上書き後の信号振幅の低下が、初期結果と比較して、閾値以上ではなかった場合、判定部２３は、ポールイレーズ無しと判定して（ステップＳ２１３）、処理を終了する。
【００８７】
［誤り率によるポールイレーズ検出処理の手順］
次に、非周期的に極性が変化するパターンＢを書き込んだ場合のポールイレーズ検出処理の手順について、図１０を用いて説明する。なお、図１０は、誤り率によるポールイレーズ検出処理の手順を説明するための図である。
【００８８】
図１０に示す誤り率によるポールイレーズ検出処理の手順は、図８の処理の手順と比較して、ステップＳ３１０およびステップＳ３１１の処理が異なる。
【００８９】
ステップＳ３０５のパターンＢの書き込みにおいて、書き込まれたパターンＢの極性が非周期的に変化する情報である場合、判定部２３は、ステップＳ３１０において、初期結果の誤り率と上書き後結果の誤り率とを算出し、算出結果を比較する。そして、判定部２３は、ステップＳ３１１において、誤り率が閾値以上であるか否かの判定を行う。ここで、上書き後結果の誤り率が、初期結果と比較して、閾値以上であった場合、判定部２３は、ポールイレーズが発生したと判定し（ステップＳ３１２）、処理を終了する。
【００９０】
一方、上書き後の誤り率が、初期結果と比較して、閾値以上ではなかった場合、判定部２３は、ポールイレーズ無しと判定して（ステップＳ３１３）、処理を終了する。
【００９１】
［実施例２の効果］
上記したように、実施例２によれば、書き込み制御部２１は、記録媒体４０のパターンＡ書き込み領域に対して、同一極性であるパターンＡを書き込むようにヘッド３０を制御する。また、書き込み制御部２１は、パターンＡ書き込み領域内もしくは近傍に位置する標的トラックにパターンＢを書き込むようにヘッド３０を制御する。さらに、書き込み制御部２１は、標的トラックにおいてパターンＢが書き込まれない領域に対して、書き終わりがパターンＡの極性とは逆の極性となるパターンＣを書き込むようにヘッド３０を制御する。そして、読み出し制御部２２が、パターンＢ書き込み後およびパターンＣ書き込み後それぞれにおいてパターンＢを読み出すように制御し、判定部２３が、読み出し制御部２２の制御によって読み出されたパターンＢそれぞれに基づいて、ポールイレーズの発生を判定する。従って、パターンＡの極性に対して逆の極性を書き終わりに有するパターンＣを書き込むことによって、ポールイレーズを加速することができ、ポールイレーズの検査を高確度で行うことが可能となる。また、ポールイレーズの偶発的な発生を期待するのではなく、ポールイレーズを誘発させることができ、ポールイレーズの検査を高速で行うこと可能となる。
【００９２】
また、実施例２によれば、書き込み制御部２１は、標的トラックに対して、複数のパターンＢおよび複数のパターンＣを書き込むように制御し、読み出し制御部２２は、パターンＢ書き込み後およびパターンＣ書き込み後それぞれで、複数のパターンＢを記録媒体４０の回転に合わせて続けて読み出すように制御し、判定部２３は、読み出し制御部２２の制御によって続けて読み出された複数のパターンＢそれぞれのパターンＢ書き込み後およびパターンＣ書き込み後の読み出し結果に基づいて、ポールイレーズの発生を判定する。従って、標的トラック一周で複数回の書き込みテストを実行することができ、ポールイレーズの検査をさらに高速に行うことが可能となる。また、複数のパターンＣを標的トラックに配置することにより、ポールイレーズ発生後、記録媒体４０が一回転する前に再度記録電流が発生することとなり、サーボ領域への影響を軽減することが可能となる。
【００９３】
また、実施例２によれば、書き込み制御部２１は、パターンＣとして、書き始めから書き終わりまでがパターンＡの極性とは逆の同一極性の情報を書き込むように制御する。従って、パターンＣの書き終わりが必ずパターンＡの逆極性にすることができ、ポールイレーズの誘発が確実になる。
【００９４】
あるいは、実施例２によれば、書き込み制御部２１は、パターンＢとして、極性が周期的に変化する情報を書き込むように制御し、判定部２３は、読み出し制御部２２の制御によって読み出されたパターンＢの読み出し信号の振幅に基づいて、ポールイレーズの発生を判定する。従って、パターンＢを単一周波数の繰り返しで書き込んだ場合でもポールイレーズを正確に判定することが可能となる。
【００９５】
また、実施例２によれば、書き込み制御部２１は、パターンＢとして、極性が非周期的に変化する情報を書き込むように制御し、判定部２３は、読み出し制御部２２の制御によって読み出されたパターンＢの誤り率に基づいて、ポールイレーズの発生を判定する。従って、パターンＢをランダムな極性で書き込んだ場合でもポールイレーズを正確に判定することが可能となる。
【００９６】
また、実施例２によれば、書き込み制御部２１は、サーボ領域からパターンＢを書き込む領域まで延長されるサーボゲートに同期して、パターンＣを書き込むように制御する。従って、パターンＢの書き込み領域を上書き禁止領域にすることが可能となる。
【実施例３】
【００９７】
上述した実施例２では、ホストコンピュータ７０に組み込まれた磁気記録装置が自装置のポールイレーズを検出する場合について説明したが、実施例３では、スピンスタンド装置を用いて磁気記録装置のポールイレーズを検出する場合について説明する。
【００９８】
［実施例３におけるスピンスタンド装置の構成］
まず最初に、図１１を用いて、実施例３におけるスピンスタンド装置の構成を説明する。図１１は、実施例３におけるスピンスタンド装置の構成を説明するためのブロック図である。
【００９９】
図１１に示すように、実施例３におけるスピンスタンド装置８０は、制御部２０と、ヘッド３０と、記録媒体４０と、記憶部５０と、スピンドル９０と、ヘッドアンプ１００とを有する。
【０１００】
スピンドル９０は、モーターを動力とし、記録媒体４０を回転させる軸である。
【０１０１】
ヘッドアンプ１００は、再生ヘッド３２から読み出した磁化波形を増幅する増幅部である。
【０１０２】
なお、制御部２０が有する書き込み制御部２１、読み出し制御部２２、判定部２３およびサーボ制御部２４の処理内容は、実施例２と同様である。また、ヘッド３０が有する記録ヘッド３１および再生ヘッド３２それぞれの制御部２０による記録媒体４０への処理内容と、記憶部５０が有する読み出し情報記憶部５１が記憶する内容とは、実施例２と同様である。
【０１０３】
すなわち、スピンスタンド装置８０は、実施例２と同様に、パターンＡ、ＢおよびＣの書き込み処理と、パターンＣの書き込み処理前後で読み出したパターンＢの読み出し結果を比較することで、ポールイレーズを検出する。
【０１０４】
具体的には、書き込み制御部２１は、記録媒体４０のパターンＡ書き込み領域に対して、同一極性であるパターンＡを書き込むようにヘッド３０を制御する。また、書き込み制御部２１は、パターンＡ書き込み領域内もしくは近傍に位置する標的トラックにパターンＢを書き込むようにヘッド３０を制御する。さらに、書き込み制御部２１は、標的トラックにおいてパターンＢが書き込まれない領域に対して、書き終わりがパターンＡの極性とは逆の極性となるパターンＣを書き込むようにヘッド３０を制御する。そして、読み出し制御部２２が、パターンＢ書き込み後およびパターンＣ書き込み後それぞれにおいてパターンＢを読み出すように制御し、判定部２３が、読み出し制御部２２の制御によって読み出されたパターンＢそれぞれに基づいて、ポールイレーズの発生を判定する。
【０１０５】
なお、スピンスタンド装置８０によるポールイレーズ検出処理の手順は、図８〜１０を用いて説明した磁気記録装置１０による処理の手順と同様であるので、説明を省略する。
【０１０６】
［実施例３の効果］
上記したように、実施例３によれば、スピンスタンド装置８０は、ヘッド３０、記録媒体４０およびスピンドル９０とからなる磁気記録装置のポールイレーズの検査を行う。従って、記憶部５０および制御部２０を組み込んでいない磁気記録装置のポールイレーズの検査を高確度で行うことが可能となる。また、記憶部５０および制御部２０を組み込んでいない磁気記録装置のポールイレーズの検査を高速で行うことが可能となる。
【０１０７】
なお、上記した実施例３では、スピンスタンド装置８０が磁気記録装置のポールイレーズの検査を行う場合について説明したが、本実施例はこれに限定されるものではなく、制御部２０および記憶部５０を有するヘッド評価装置がヘッド３０のポールイレーズの検査を行う場合であってもよい。
【実施例４】
【０１０８】
さて、これまで実施例１、実施例２および実施例３について説明したが、上述した実施例１、実施例２および実施例３以外にも、種々の異なる形態にて実施されてよいものである。そこで、以下では、種々の異なる実施例を（１）〜（４）に区分けして説明する。
【０１０９】
（１）標的トラック
上記した実施例１〜３では、標的トラックがパターンＡ書き込み領域内に位置する場合について説明したが、本実施例はこれに限定するものではなく、例えば、標的トラックがパターンＡ書き込み領域の近傍に位置する場合であってもよい。
【０１１０】
（２）パターンＢおよびパターンＣの書き込み位置
上記した実施例１〜３では、標的トラックにおいて、サーボ領域、パターンＢの書き込み領域、パターンＣの書き込み領域が順に配置される場合について説明したが、本実施例はこれに限定されるものではなく、パターンＢの書き込み領域とパターンＣの書き込み領域の配置が逆になる場合であってもよい。すなわち、サーボ領域、パターンＣの書き込み領域、パターンＢの書き込み領域の順に配置されてもよい。
【０１１１】
（３）記録媒体における検査位置
上記した実施例１〜３では、記録媒体における標的トラックが一箇所である場合について説明したが、本実施例はこれに限定されるものではなく、同一記録媒体上に複数の標的トラックを設定する場合であってもよい。
【０１１２】
（４）システム構成等
また、上記の実施例において説明した処理手順、具体的名称、各種のデータやパラメータを含む情報については、特記する場合を除いて任意に更新することができる。例えば、本実施例は、ポールイレーズの発生を、同一記録媒体の同一位置において、複数回のポールイレーズ検査を実行した後の検査結果に基づいて判定する場合であってもよい。
【０１１３】
また、図示した各装置の各構成要素は機能概念的なものであり、必ずしも物理的に図示された構成要素と同一であることを要しない。すなわち、各処理部および各記憶部の分散・統合の具体的形態（例えば、図２の形態）は図示のものとは限られない。例えば、磁気記録装置１０に複数のヘッド３０および複数の記録媒体４０が内蔵される場合であってもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１１４】
以上の本実施例を含む実施形態に関し、更に以下の付記を開示する。
【０１１５】
（付記１）記録媒体における複数のトラックを含む所定の領域に対して、同一極性である第一の情報を書き込む第一書き込み処理と、前記所定の領域内もしくは近傍に位置する標的トラックに対して、第二の情報を書き込む第二書き込み処理と、前記標的トラックにおいて前記第二書き込み処理が実行されない領域に対して、書き終りが前記第一書き込み処理の極性とは逆の極性となる第三の情報を書き込む第三書き込み処理とを実行するように制御する書き込み制御部と、
前記第二書き込み処理後および前記第三書き込み処理後それぞれにおいて前記第二の情報を読み出すように制御する読み出し制御部と、
前記読み出し制御部の制御によって読み出された第二の情報それぞれに基づいて、ポールイレーズの発生を判定する判定部と、
を有したことを特徴とする磁気記録装置。
【０１１６】
（付記２）前記書き込み制御部は、前記標的トラックに対して、複数の第二の情報および複数の第三の情報を書き込むように制御し、
前記読み出し制御部は、前記第二書き込み処理後および前記第三の書き込み処理後それぞれで、前記複数の第二の情報を前記記録媒体の回転に合わせて続けて読み出すように制御し、
前記判定部は、前記読み出し制御部の制御によって続けて読み出された複数の第二の情報それぞれの第二書き込み処理後および第三書き込み処理後の読み出し結果に基づいて、ポールイレーズの発生を判定することを特徴とする付記１に記載の磁気記録装置。
【０１１７】
（付記３）前記書き込み制御部は、前記第三の情報として、書き始めから書き終わりまでが前記第一の情報の極性とは逆の同一極性の情報を書き込むように制御することを特徴とする付記１または２に記載の磁気記録装置。
【０１１８】
（付記４）前記書き込み制御部は、前記第二の情報として、極性が周期的に変化する情報を書き込むように制御し、
前記判定部は、前記読み出し制御部の制御によって読み出された当該第二の情報の読み出し信号の振幅に基づいて、ポールイレーズの発生を判定することを特徴とする付記１または２に記載の磁気記録装置。
【０１１９】
（付記５）前記書き込み制御部は、前記第二の情報として、極性が非周期的に変化する情報を書き込むように制御し、
前記判定部は、前記読み出し制御部の制御によって読み出された当該第二の情報の誤り率に基づいて、ポールイレーズの発生を判定することを特徴とする付記４に記載の磁気記録装置。
【０１２０】
（付記６）前記書き込み制御部は、サーボ領域から前記第二の情報を書き込む領域まで延長されるサーボゲートに同期して、前記第三の情報を書き込むように制御することを特徴とする付記１または２に記載の磁気記録装置。
【０１２１】
（付記７）記録媒体における複数のトラックを含む所定の領域に対して、同一極性である第一の情報を書き込む第一書き込み処理と、前記所定の領域の近傍に位置する標的トラックに対して、第二の情報を書き込む第二書き込み処理と、前記標的トラックにおいて前記第二書き込み処理が実行されない領域に対して、書き終りが前記第一書き込み処理の極性とは逆の極性となる第三の情報を書き込む第三書き込み処理とを実行するように制御する書き込み制御部と、
前記第二書き込み処理後および前記第三書き込み処理後それぞれにおいて前記第二の情報を読み出すように制御する読み出し制御部と、
前記読み出し制御部の制御によって読み出された第二の情報それぞれに基づいて、ポールイレーズの発生を判定する判定部と、
を有したことを特徴とするヘッド評価装置。
【０１２２】
（付記８）前記書き込み制御部は、前記標的トラックに対して、複数の第二の情報および複数の第三の情報を書き込むように制御し、
前記読み出し制御部は、前記第二書き込み処理後および前記第三の書き込み処理後それぞれで、前記複数の第二の情報を前記記録媒体の回転に合わせて続けて読み出すように制御し、
前記判定部は、前記読み出し制御部の制御によって続けて読み出された複数の第二の情報それぞれの第二書き込み処理後および第三書き込み処理後の読み出し結果に基づいて、ポールイレーズの発生を判定することを特徴とする付記７に記載のヘッド評価装置。
【０１２３】
（付記９）前記書き込み制御部は、前記第三の情報として、書き始めから書き終わりまでが前記第一の情報の極性とは逆の同一極性の情報を書き込むように制御することを特徴とする付記７または８に記載のヘッド評価装置。
【０１２４】
（付記１０）前記書き込み制御部は、前記第二の情報として、極性が周期的に変化する情報を書き込むように制御し、
前記判定部は、前記読み出し制御部の制御によって読み出された当該第二の情報の読み出し信号の振幅に基づいて、ポールイレーズの発生を判定することを特徴とする付記７または８に記載のヘッド評価装置。
【０１２５】
（付記１１）前記書き込み制御部は、前記第二の情報として、極性が非周期的に変化する情報を書き込むように制御し、
前記判定部は、前記読み出し制御部の制御によって読み出された当該第二の情報の誤り率に基づいて、ポールイレーズの発生を判定することを特徴とする付記１０に記載のヘッド評価装置。
【０１２６】
（付記１２）前記書き込み制御部は、サーボ領域から前記第二の情報を書き込む領域まで延長されるサーボゲートに同期して、前記第三の情報を書き込むように制御することを特徴とする付記７または８に記載のヘッド評価装置。
【０１２７】
（付記１３）記録媒体における複数のトラックを含む所定の領域に対して、同一極性である第一の情報を書き込む第一書き込み処理と、前記所定の領域の近傍に位置する標的トラックに対して、第二の情報を書き込む第二書き込み処理と、前記標的トラックにおいて前記第二書き込み処理が実行されない領域に対して、書き終りが前記第一書き込み処理の極性とは逆の極性となる第三の情報を書き込む第三書き込み処理とを実行するように制御する書き込み制御部と、
前記第二書き込み処理後および前記第三書き込み処理後それぞれにおいて前記第二の情報を読み出すように制御する読み出し制御部と、
前記読み出し制御部の制御によって読み出された第二の情報それぞれに基づいて、ポールイレーズの発生を判定する判定部と、
を有したことを特徴とするスピンスタンド装置。
【０１２８】
（付記１４）前記書き込み制御部は、前記標的トラックに対して、複数の第二の情報および複数の第三の情報を書き込むように制御し、
前記読み出し制御部は、前記第二書き込み処理後および前記第三の書き込み処理後それぞれで、前記複数の第二の情報を前記記録媒体の回転に合わせて続けて読み出すように制御し、
前記判定部は、前記読み出し制御部の制御によって続けて読み出された複数の第二の情報それぞれの第二書き込み処理後および第三書き込み処理後の読み出し結果に基づいて、ポールイレーズの発生を判定することを特徴とする付記１３に記載のスピンスタンド装置。
【０１２９】
（付記１５）前記書き込み制御部は、前記第三の情報として、書き始めから書き終わりまでが前記第一の情報の極性とは逆の同一極性の情報を書き込むように制御することを特徴とする付記１３または１４に記載のスピンスタンド装置。
【０１３０】
（付記１６）前記書き込み制御部は、前記第二の情報として、極性が周期的に変化する情報を書き込むように制御し、
前記判定部は、前記読み出し制御部の制御によって読み出された当該第二の情報の読み出し信号の振幅に基づいて、ポールイレーズの発生を判定することを特徴とする付記１３または１４に記載のスピンスタンド装置。
【０１３１】
（付記１７）前記書き込み制御部は、前記第二の情報として、極性が非周期的に変化する情報を書き込むように制御し、
前記判定部は、前記読み出し制御部の制御によって読み出された当該第二の情報の誤り率に基づいて、ポールイレーズの発生を判定することを特徴とする付記１６に記載のスピンスタンド装置。
【０１３２】
（付記１８）前記書き込み制御部は、サーボ領域から前記第二の情報を書き込む領域まで延長されるサーボゲートに同期して、前記第三の情報を書き込むように制御することを特徴とする付記１３または１４に記載のスピンスタンド装置。
【０１３３】
（付記１９）記録媒体における複数のトラックを含む所定の領域に対して、同一極性である第一の情報を書き込む第一書き込みステップと、
前記所定の領域の近傍に位置する標的トラックに対して、第二の情報を書き込む第二書き込みステップと、
前記標的トラックにおいて前記第二書き込みステップが実行されない領域に対して、書き終りが前記第一書き込みステップの極性とは逆の極性となる第三の情報を書き込む第三書き込みステップと、
前記第二書き込みステップ後に前記第二の情報を読み出す第一読み出しステップと、
前記第三書き込みステップ後に前記第二の情報を読み出す第二読み出しステップと、
前記第一読み出しステップおよび前記第二読み出しステップによって読み出された第二の情報それぞれに基づいて、ポールイレーズの発生を判定する判定ステップと、
を含んだことを特徴とするライトポールイレーズ評価方法。
【０１３４】
（付記２０）前記第二書き込みステップおよび前記第三書き込みステップは、前記標的トラックに対して、それぞれ複数の第二の情報および複数の第三の情報を書き込み、
前記第一読み出しステップおよび前記第二読み出しステップは、前記複数の第二の情報を前記記録媒体の回転に合わせて続けて読み出し、
前記判定ステップは、前記第一読み出しステップおよび前記第二読み出しステップによって続けて読み出された複数の第二の情報それぞれの読み出し結果に基づいて、ポールイレーズの発生を判定することを特徴とする付記１９に記載のライトポールイレーズ評価方法。
【０１３５】
（付記２１）前記第三書き込みステップは、前記第三の情報として、書き始めから書き終りまでが前記第一の情報の極性とは逆の同一極性の情報を書き込むことを特徴とする付記１９または２０に記載のライトポールイレーズ評価方法。
【０１３６】
（付記２２）前記第二書き込みステップは、前記第二の情報として、極性が周期的に変化する情報を書き込み、
前記判定ステップは、前記第一読み出しステップおよび前記第二読み出しステップによって読み出された当該第二の情報の読み出し信号の振幅に基づいて、ポールイレーズの発生を判定することを特徴とする付記１９または２０に記載のライトポールイレーズ評価方法。
【０１３７】
（付記２３）前記第二書き込みステップは、前記第二の情報として、極性が非周期的に変化する情報を書き込み、
前記判定ステップは、前記第一読み出しステップおよび前記第二読み出しステップによって読み出された当該第二の情報の誤り率に基づいて、ポールイレーズの発生を判定することを特徴とする付記２２に記載のライトポールイレーズ評価方法。
【０１３８】
（付記２４）前記第三書き込みステップは、サーボ領域から前記第二の情報を書き込む領域まで延長されるサーボゲートに同期して、前記第三の情報を書き込むことを特徴とする付記１９または２０に記載のライトポールイレーズ評価方法。
【符号の説明】
【０１３９】
１０  磁気記録装置
２０  制御部
２１  書き込み制御部
２２  読み出し制御部
２３  判定部
２４  サーボ制御部
３０  ヘッド
３１  記録ヘッド
３２  再生ヘッド
４０  記録媒体
５０  記憶部
５１  読み出し情報記憶部
６０  入出力制御Ｉ／Ｆ部
７０  ホストコンピュータ
８０  スピンスタンド装置
９０  スピンドル
１００  ヘッドアンプ
【図１】
2010277624.tif 000003
【図２】
2010277624.tif 000004
【図３】
2010277624.tif 000005
【図４】
2010277624.tif 000006
【図５】
2010277624.tif 000007
【図６】
2010277624.tif 000008
【図７】
2010277624.tif 000009
【図８】
2010277624.tif 000010
【図９】
2010277624.tif 000011
【図１０】
2010277624.tif 000012
【図１１】
2010277624.tif 000013